(57)【要約】【課題】緊急モードの携帯電話が音声等をセキュリティサーバへ送信する際、常に音声を送出し続けるため、電池消耗により長時間にわたり位置情報を含めた必要なサービスを提供できない。【解決手段】携帯電話端末とセキュリティーサーバ間で、通話時間に関する情報を通信し、その情報を使用して携帯電話端末が音声通話の開始と終了を制御する（２０４、２０７）。携帯電話端末が緊急モード時は、音声切断があると必ず携帯電話端末セキュリティサーバ間で同期し、通話時間を再設定可能とすることで、音声通話を断続的に実施できるようにし、長時間にわたり位置情報を取得するとともに、音声に関しても必要な時間に受信できるようにすることで、長時間にわたるサービスの提供を保障する。【選択図】図２
2007215098.tif 000002
【特許請求の範囲】
【請求項１】
緊急モードを有する携帯電話端末と、緊急モードにおいて前記携帯電話端末からの緊急事態の通知によりセキュリティサービスを提供するセキュリティセンタとを備えるセキュリティシステムであって、
前記携帯電話端末は、緊急モードにおける前記セキュリティセンタに対する通信開始時間及び通信終了時間を通信パラメータとして保持する保持手段と、前記通信パラメータに基づいて前記セキュリティセンタとの間の通信を行う通信手段とを備えるセキュリティシステム。
【請求項２】
前記セキュリティセンタは、新たな通信パラメータを決定するパラメータ決定手段と、決定した通信パラメータを前記携帯電話端末へ通知する手段とを有し、
前記保持手段は、前記セキュリティセンタから通知される新たな通信パラメータを保持する請求項１記載のセキュリティシステム。
【請求項３】
前記携帯電話端末は、電池残量を測定する手段と、測定した電池残量を前記セキュリティセンタへ通知する手段とを有し、
前記パラメータ決定手段は、前記電池残量に基づいて前記通信パラメータを決定する請求項２記載のセキュリティシステム。
【請求項４】
前記携帯電話端末は、電池残量を測定する手段と、測定した電池残量に基づいて前記通信パラメータを決定する手段とを備える請求項１記載のセキュリティシステム。
【発明の詳細な説明】
【技術分野】
【０００１】
本発明は、緊急モードを有する携帯電話端末と、緊急モードにおいて前記携帯電話端末からの緊急事態の通知によりセキュリティサービスを提供するセキュリティセンタとを備えるセキュリティシステムに関するものである。
【背景技術】
【０００２】
近年、携帯電話端末の普及は著しく、子供から高齢者まで広く利用されている。通話以外に、ＰＩＭ機能やメール機能やカメラ撮影機能などの多彩な機能が組み込まれ、携帯電話端末は日常生活において欠かせないものとなっている。このため、就寝中を含み、常時身近なところに携帯電話端末を携行している者が少なくない。常時身近に携行している携帯電話に対して、特にＧＰＳやカメラを搭載した携帯電話端末を利用し、特定のキー入力等の手段により端末所有者に緊急事態が発生したことを通知する端末と、その緊急通知に応じて加入者情報から、事業者のサーバや、ＧＰＳと連動して位置情報を取得するサーバ、地図情報を取得するサーバと連携して端末所有者の位置を特定し、警備会社がその情報を元に人員を派遣するなどのサービスを提供するといったセキュリティシステムが提案されている。（例えば、特許文献１参照）また、携帯端末所有者が犯罪等に巻き込まれた際に、犯罪者に感知されずにサービス会社を通じて警備会社や公共機関や特定の連絡先などに通知するとともに、セキュリティサービス提供側が端末所有者の周囲の状況を録音するなどのセキュリティシステムと携帯電話に関する特許が特許文献２に示されている。また、これらの従来技術においては、ＧＰＳから位置情報を取得するとともに緊急状態に陥った端末所有者の周囲の状況把握のために音声や画像を端末が取得し、遭難場所の具体的な状況をサービス提供者が把握することによる早期救出が期待できること、または端末所有者の周囲で犯罪が起きていた場合にその状況を音声録音することにより具体的にサービス会社側で知ることができるなど利点が示されている。
【特許文献１】特開２００５−３９７００号公報
【特許文献２】特開２００５−１２３８８２号公報
【発明の開示】
【発明が解決しようとする課題】
【０００３】
しかしながら、上記従来技術において、前者の場合、ユーザが特定のキーを入力することで音声や画像を取得するため犯罪に巻き込まれた際にそれらの操作を何度も実施するのは実際的に不可能であると考えられる。また、後者の場合緊急モードに移行することで犯罪に巻き込まれた際に犯罪者に気づかれることなく継続的に周囲の音声を片通話録音によりセキュリティセンタで録音するなどのサービスが向上するが、音声通話を続けた場合に携帯電話の電池の消耗により、上記サービス以外に特に重要な位置情報サービスが提供できなくなる可能性がある。現在の携帯電話は数日にわたり連続して待ち受けるための様々な制御を実行しているが、通話に関しては携帯電話端末が保証している連続通話時間は大抵最大数時間で電池が消耗してしまう。緊急モードになった携帯電話端末所有者が犯罪に巻き込まれ、場所を移動し続けた場合に後者の音声データを取得し続けた場合端末所有者の位置情報取得ができなくなる点で問題である。
【０００４】
本発明は、緊急状態にある携帯電話端末所有者の状況を長時間にわたり把握可能なセキュリティシステムを提供することを目的とする。
【課題を解決するための手段】
【０００５】
本発明は、緊急モードを有する携帯電話端末と、緊急モードにおいて前記携帯電話端末からの緊急事態の通知によりセキュリティサービスを提供するセキュリティセンタとを備えるセキュリティシステムであって、前記携帯電話端末は、緊急モードにおける前記セキュリティセンタに対する通信開始時間及び通信終了時間を通信パラメータとして保持する保持手段と、前記通信パラメータに基づいて前記セキュリティセンタとの間の通信を行う通信手段とを備える。この構成によれば、緊急状態において、セキュリティセンタとの通話を予め設定した通信パラメータにより断続的に行うことで、長時間に亘り携帯電話端末所有者の状況を把握することができる。
【０００６】
本発明において、前記セキュリティセンタは、新たな通信パラメータを決定するパラメータ決定手段と、決定した通信パラメータを前記携帯電話端末へ通知する手段とを有し、前記保持手段は、前記セキュリティセンタから通知される新たな通信パラメータを保持する。この構成によれば、セキュリティセンタにおいて通信パラメータの設定を変更することが可能となるため、状況に応じて通話形態を変更することができる。
【０００７】
本発明において、前記携帯電話端末は、電池残量を測定する手段と、測定した電池残量を前記セキュリティセンタへ通知する手段とを有し、前記パラメータ決定手段は、前記電池残量に基づいて前記通信パラメータを決定する。また、前記携帯電話端末は、電池残量を測定する手段と、測定した電池残量に基づいて前記通信パラメータを決定する手段とを備える。この構成によれば、電池残量に応じて通信パラメータの変更が可能となる。
【発明の効果】
【０００８】
本発明によれば、本発明によれば携帯電話端末所有者に緊急事態が発生したときに、セキュリティサービス提供者（警備会社）側から緊急モードにおける携帯電話を制御することを可能にし、状況に応じて携帯電話の状態を変更することを可能とする。そこで携帯電話端末所有者の周囲の状況を音声通話を使用して、セキュリティサービス提供者側で録音するような場合に、携帯電話端末と設定情報を通信することで断続的に音声通話状態にすることを可能とすることで、連続的な音声通話とくらべ、電池の消耗を抑制し、長時間にわたり携帯電話端末所有者の状況をモニタリングできるようにするとともに、電池残量が無くなることにより、位置情報の取得ができなくなることを防ぐことが可能である。
【発明を実施するための最良の形態】
【０００９】
まず、従来のセキュリティシステムのシーケンスについて説明する。図1に示すように、携帯電話端末の所有者が緊急事態を通知するようなセキュリティシステムでは、携帯電話端末所有者からセキュリティセンタへの緊急事態を通知することにより実施される。使用者のキー入力により緊急モードに遷移すると（１０１）、携帯電話端末が自動かつ速やかに、セキュリティセンタへ電話発信する。セキュリティセンタで電話着信（１０２）があると、携帯電話端末は音声送出（１０３）を開始する。また、セキュリティセンタでは緊急電話着信動作（１０４）を行う。
【００１０】
図２は本発明の第１の実施形態を示すシーケンス図である。携帯電話端末で緊急モードの設定（２０１）により携帯電話端末がセキュリティセンタへ発信し、セキュリティセンタにおいて電話着信（２０２）後、緊急電話着信動作（２０３）の実行により、携帯電話端末所有者の特定、所在地の確認及び警備会社等への通報を実施するところまでは図１に示した従来シーケンスと同じである。
【００１１】
その後、携帯電話端末は、音声電話開始タイマを起動し（２０４）、タイマタイムアウトをトリガとして、セキュリティセンタに電話発信し音声通話を開始する。携帯電話端末では音声送信を開始し（２０５）、セキュリティセンタでは音声録音を開始する（２０６）。セキュリティセンタは、着信した音声から状況を警備会社等に連絡する（２０８）。携帯電話端末は音声送出開始時に音声通話終了タイマを起動し（２０７）、タイマタイムアウトにより通話を終了させる。通話終了後、次に通話を開始するための通話時間パラメータ（通信パラメータ）をセキュリティセンタで決定し（２０９）、パラメータをデータ通信手段やメール手段等を利用して携帯電話端末へ送信する。携帯電話端末では、それらのパラメータを内部メモリへ保持し（２１０）、次回電話発信するときの音声通話開始タイマ起動（２０４），音声通話終了タイマ起動（２０７）のためのパラメータとして使用する。
【００１２】
上記のような音声通話時間をセキュリティセンタから制御すると、音声通話が切断されても再接続でき、かつその時間も指定可能であり、セキュリティサービス対応者は携帯電話からの音の情報を用いて、より状況を知る必要がある場合は即座に通話を開始すると言った処置をとっても良い。または、携帯電話端末所有者が移動する、端末所有者の周囲の状況の把握が十分に得られたと判断された場合など、位置情報が優先される場合などは通話を一度停止する等の処置をとっても良い。逆に、端末所有者に十分に接近した状況で現場の把握が必要な場合に音声通話を開始するようにしても良い。
【００１３】
図３は第２の実施形態のシーケンスを示す図である。第２の実施形態では、携帯電話端末からセキュリティセンタへの通話終了後、携帯電話端末が電池残量を測定し（３０６）、セキュリティセンタへ電池残量を通知することにより、その情報を元にセキュリティセンタが次の通話時間を決定する（３０７）。そこで、電池残量が十分に無い場合で、かつ位置情報の把握が優先される場合は、通話を実施しないようにするなどの処置を実施すれば良い。携帯電話端末は音声通話時間パラメータを受信し（３０８）、その後、第１の実施形態１と同様に、音声通話開始タイマ起動（３０１）から警備会社等へ状況連絡（３０５）までのシーケンスを実施することで、電池残量といったパラメータを用いて音声通話時間を決定することができる。よって、例えば緊急モード中の携帯電話が充電された場合には、音声の録音時間を長くするなどの処置を取ることができる。
【００１４】
図４は第３の実施の形態を示すシーケンスである。第3の実施形態では、携帯電話端末で電池残量を測定し（４０９）、測定結果を用いて次回の音声通話時間のパラメータを決定する（４１０）。この場合は、携帯電話に時間判定のアルゴリズムを追加するのみであるため、第２の実施形態と比較して簡単に構成できる。
【００１５】
図５は前記実施の形態に係るシーケンスを実行するために、携帯電話端末が保持するメモリ上の情報を示し、図６は携帯電話端末に実装されるプログラムを示している。携帯電話端末のプログラムは、緊急モード移行（６０１）時に緊急モードフラグ５０１を有効にする。次にセキュリティセンタから通話時間に関する設定値を受信し、次回通話開始時間情報５０３、次回通話終了時間情報５０４をメモリへ保持する。次回通話開始時間情報５０３を元に開始時間が来るとセキュリティセンタへ電話発呼（６０３）、緊急モードでの動作を続けて実行し（６０４）、次回通話時間終了情報５０４を用いて通話時間が終了すると自動的にセキュリティセンタと切断する（６０５）。音声送信機能有効フラグ５０２は、セキュリティセンタから無効情報を受信するようにしても良い。また、電池残量から無効設定にしてもよい。音声送信機能が無効か判定し（６０６）、有効である場合は、処理６０２から処理６０５を繰り返し実行する。緊急モードが解除されると緊急モード時の処理を全て終了する（６０８）。音声機能が無効かつ緊急モードの場合は、セキュリティサーバからの受信待ち状態になる（６０７）。
【産業上の利用可能性】
【００１６】
本発明のセキュリティシステムは、携帯電話端末所有者に緊急事態が発生したときに、セキュリティサービス提供者（警備会社）側から携帯電話を制御することが可能であり、状況に応じて携帯電話端末を制御することで、電池の消耗を抑制し、長時間にわたり携帯電話所有者の状況をモニタリングできるようにするとともに、電池残量が無くなることにより、位置情報の取得ができなくなることを防ぐことで、より持続的かつ確実なセキュリティサービスを保証することができるという効果を有し、緊急状態にある携帯電話端末所有者の状況を長時間にわたり把握可能なセキュリティシステム等として有用である。
【図面の簡単な説明】
【００１７】
【図１】従来のセキュリティシステムのシーケンスを示す図
【図２】第１の実施の形態にかかるセキュリティシステムのシーケンスを示す図
【図３】第２の実施の形態にかかるセキュリティシステムのシーケンスを示す図
【図４】第３の実施の形態にかかるセキュリティシステムのシーケンスを示す図
【図５】シーケンスを実行するための情報を示す図
【図６】シーケンスを実行するためのアルゴリズムを示す図
【図１】
2007215098.tif 000003
【図２】
2007215098.tif 000004
【図３】
2007215098.tif 000005
【図４】
2007215098.tif 000006
【図５】
2007215098.tif 000007
【図６】
2007215098.tif 000008